(57)【要約】      （修正有）【課題】引出体の引出時には、引出体の前面下部の下取手部に手の指の先を上向きにして挿入して引き掛けて手前に引き出すことができ、かつ、引出体の前面上部の上取手部に手の指の先を下向きにして挿入して引き掛けて手前に引き出すことができ、引出体の引出時において下取手部及び上取手部を用いた二種類の引出操作が選択可能となり、このため、収納ケースの設置高さや収納ケースの多段の積み重ね数に応じた引出操作を選択することができ、引出操作の融通性を向上することができ、使用の利便性を高めることができる引出の提供。【解決手段】前面が開口した合成樹脂製の本体Ｄと、本体の前面の開口部を介して引出収納自在に設けられ、上面が開口した合成樹脂製の引出体３とからなり、上記引出体の前面下部及び前面上部にそれぞれ下取手部４及び上取手部５を配設してなる。【選択図】図２
2018110666.tif 000002
【特許請求の範囲】
【請求項１】
前面が開口した合成樹脂製の本体と、該本体の前面の開口部を介して引出収納自在に設けられ、上面が開口した合成樹脂製の引出体とからなり、上記引出体の前面下部及び前面上部にそれぞれ下取手部及び上取手部を配設してなることを特徴とする収納ケース。
【請求項２】
底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体とからなり、上記引出体の前面下部及び前面上部にそれぞれ下取手部及び上取手部を配設してなることを特徴とする収納ケース。
【請求項３】
底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体とからなり、上記各引出体の前面下部及び前面上部にそれぞれ下取手部及び上取手部を配設してなることを特徴とする収納ケース。
【発明の詳細な説明】
【技術分野】
【０００１】
本発明は、例えば一般家庭に設置されて衣類や各種小物類等を整理収納する際に用いられる収納ケースに関するものである。
【背景技術】
【０００２】
従来、この種の収納ケースとして、前面が開口した合成樹脂製の本体と、本体の前面の開口部を介して引出収納自在に設けられ、上面が開口した合成樹脂製の引出体とからなる構造のものが知られている。
【先行技術文献】
【特許文献】
【０００３】
【特許文献１】特許第５８５８４８８号
【発明の概要】
【発明が解決しようとする課題】
【０００４】
しかしながらこれら従来構造の場合、上記引出体の前面下部に取手部が配設され、引出体の引出時には引出体の前面下部の取手部に手の指の先を上向きにして挿入して引き掛けて手前に引き出すことになり、このため、引出体の引出操作は引出体の前面下部の取手部のみに限られ、収納ケースの設置位置や設置状況によっては、引出体の前面下部の取手部のみによる引出操作では使用者は腰を屈める必要があり、引出体の引出操作が厄介となり、引出操作の融通性が低下することがあるという不都合を有している。
【課題を解決するための手段】
【０００５】
本発明はこれらの不都合を解決することを目的とするもので、本発明のうちで、請求項１記載の発明は、前面が開口した合成樹脂製の本体と、該本体の前面の開口部を介して引出収納自在に設けられ、上面が開口した合成樹脂製の引出体とからなり、上記引出体の前面下部及び前面上部にそれぞれ下取手部及び上取手部を配設してなることを特徴とする収納ケースにある。
【０００６】
又、請求項２記載の発明は、底板、左右の側板、後板からなる前面及び上面が開口した合成樹脂製の枠本体と、該枠本体の上面を覆う合成樹脂製の天板体と、該枠本体及び天板体からなる本体の前面の開口部を介して引出収納自在に設けられ、上面が開口した合成樹脂製の引出体とからなり、上記引出体の前面下部及び前面上部にそれぞれ下取手部及び上取手部を配設してなることを特徴とする収納ケースにある。
【０００７】
又、請求項３記載の発明は、底板、左右の側板、後板からなる前面及び上面が開口した上下に積み重ね可能な複数個の合成樹脂製の枠本体と、該積み重ねられた最上位の枠本体の上面を覆う合成樹脂製の天板体と、該複数個の枠本体及び天板体からなる本体の前面の複数個の開口部を介してそれぞれ引出収納自在に設けられ、上面が開口した複数個の合成樹脂製の引出体とからなり、上記各引出体の前面下部及び前面上部にそれぞれ下取手部及び上取手部を配設してなることを特徴とする収納ケースにある。
【発明の効果】
【０００８】
本発明は上述の如く、請求項１記載の発明にあっては、前面が開口した合成樹脂製の本体と、本体の前面の開口部を介して引出収納自在に設けられ、上面が開口した合成樹脂製の引出体とからなり、上記引出体の前面下部及び前面上部にそれぞれ下取手部及び上取手部を配設しているから、引出体の引出時には、引出体の前面下部の下取手部に手の指の先を上向きにして挿入して引き掛けて手前に引き出すことができ、かつ、引出体の前面上部の上取手部に手の指の先を下向きにして挿入して引き掛けて手前に引き出すことができ、引出体の引出時において下取手部及び上取手部を用いた二種類の引出操作が選択可能となり、このため、収納ケースの設置高さや収納ケースの多段の積み重ね数に応じた引出操作を選択することができ、引出操作の融通性を向上することができ、使用の利便性を高めることができる。
【０００９】
又、請求項２記載の発明にあっては、底板、左右の側板、後板からなる前面及び上面が開口した合成樹脂製の枠本体と、枠本体の上面を覆う合成樹脂製の天板体と、枠本体及び天板体からなる本体の前面の開口部を介して引出収納自在に設けられ、上面が開口した合成樹脂製の引出体とからなり、上記引出体の前面下部及び前面上部にそれぞれ下取手部及び上取手部を配設しているから、引出体の引出時には、引出体の前面下部の下取手部に手の指の先を上向きにして挿入して引き掛けて手前に引き出すことができ、かつ、引出体の前面上部の上取手部に手の指の先を下向きにして挿入して引き掛けて手前に引き出すことができ、引出体の引出時において下取手部及び上取手部を用いた二種類の引出操作が選択可能となり、このため、収納ケースの設置高さや収納ケースの多段の積み重ね数に応じた引出操作を選択することができ、引出操作の融通性を向上することができ、使用の利便性を高めることができる。
【００１０】
又、請求項３記載の発明にあっては、底板、左右の側板、後板からなる前面及び上面が開口した上下に積み重ね可能な複数個の合成樹脂製の枠本体と、積み重ねられた最上位の枠本体の上面を覆う合成樹脂製の天板体と、複数個の枠本体及び天板体からなる本体の前面の複数個の開口部を介してそれぞれ引出収納自在に設けられ、上面が開口した複数個の合成樹脂製の引出体とからなり、上記各引出体の前面下部及び前面上部にそれぞれ下取手部及び上取手部を配設して構成しているから、各引出体の引出時には、各引出体の前面下部の下取手部に手の指の先を上向きにして挿入して引き掛けて手前に引き出すことができ、かつ、各引出体の前面上部の上取手部に手の指の先を下向きにして挿入して引き掛けて手前に引き出すことができ、引出体の引出時において下取手部及び上取手部を用いた二種類の引出操作が選択可能となり、このため、収納ケースの設置高さや収納ケースの多段の積み重ね数に応じた引出操作を選択することができ、引出操作の融通性を向上することができ、使用の利便性を高めることができる。
【図面の簡単な説明】
【００１１】
【図１】本発明の実施の第一形態例の全体斜視図である。
【図２】本発明の実施の第一形態例の全体斜視図である。
【図３】本発明の実施の第一形態例の部分分離斜視図である。
【図４】本発明の実施の第一形態例の全体断面図である。
【図５】本発明の実施の第一形態例の部分断面図である。
【図６】本発明の実施の第一形態例の全体正面図である。
【図７】本発明の実施の第一形態例の引出体の部分後面図である。
【図８】本発明の実施の第二形態例の全体斜視図である。
【図９】本発明の実施の第二形態例の部分分離斜視図である。
【発明を実施するための形態】
【００１２】
図１乃至図９は本発明の実施の形態例を示し、図１乃至図７は第一形態例、図８、図９は第二形態例である。
【００１３】
図１乃至図７の第一形態例において、１は枠本体であって、合成樹脂製にして、図１、図２、図３の如く、底板１ａ、左右の側板１ｂ・１ｂ、後板１ｃからなり、前面及び上面が開口した枠状に形成されている。
【００１４】
２は天板体であって、合成樹脂製にして、図１、図２、図３の如く、上記枠本体１の上面を覆って枠本体１に着脱自在に取り付けられている。
【００１５】
３は引出体であって、合成樹脂製にして、図１、図２、図３の如く、底板３ａ、前板３ｂ、左右の側板３ｃ・３ｃ、後板３ｄからなり、この場合、底板３ａの左右辺部に左右の側板３ｃ・３ｃ及び後辺部に後板３ｄを一体に形成し、底板３ａ及び左右の側板３ｃ・３ｃの前部に前板３ｂを取り付け、しかして、引出体３は上面が開口した容器状に形成され、上記枠本体１及び天板体２からなる本体Ｄの前面の開口部を介して引出収納自在に設けられ、上記枠本体１、上記天板体２及び上記引出体３により収納ケースＫが形成されることになる。
【００１６】
４は下取手部、５は上取手部であって、図４、図５、図６、図７の如く、上記引出体３の前面下部及び前面上部にそれぞれ下取手部４及び上取手部５が形成されている。
【００１７】
この場合、図２、図４、図５、図６、図７の如く、上記引出体３は底板３ａ及び左右の側板３ｃ・３ｃを一体に形成した引出本体３ｅと引出本体３ｅの前部に取付機構３ｆにより取付可能な前板３ｂとからなり、この取付機構３ｆにあっては、図５、図６、図７の如く、引出本体３ｅの前部上部に取付溝部３ｇを形成し、引出本体３ｅの前部下部に四個の係止穴部３ｈ及び係止溝凹部３ｉを形成し、前板３ｂの上部に取付溝部３ｇに係止する係止壁部３ｊを形成し、前板３ｂの下部に係止穴部３ｈ及び係止溝凹部３ｉに係止する四個の係止凸部３ｋ及び四個の係止突部３ｌを形成し、引出本体３ｅの下部に凹部状にして引掛面４ａを有する下取手部４を形成し、前板３ｂの上部に凹部状にして引掛面５ａを有する上取手部５を形成して構成している。
【００１８】
６は積重安定機構であって、この場合、図１、図２、図３の如く、上記天板体２の上面に上記引出体３の引出収納方向と直交する方向に延びる凹状溝部６ａ・６ａを形成すると共に上記枠本体１の底板１ａの底面に凹状溝部６ａ・６ａに摺動自在な前後一対ずつの計四個の嵌合部１ｄ・１ｄ・１ｄ・１ｄを設けている。
【００１９】
この実施の第一形態例は上記構成であるから、前面が開口した合成樹脂製の本体Ｄと、本体Ｄの前面の開口部を介して引出収納自在に設けられ、上面が開口した合成樹脂製の引出体３とからなり、上記引出体３の前面下部及び前面上部にそれぞれ下取手部４及び上取手部５を配設しているから、引出体３の引出時には、引出体３の前面下部の下取手部４に手の指の先を上向きにして挿入して引掛面４ａに引き掛けて手前に引き出すことができ、かつ、引出体３の前面上部の上取手部５に手の指の先を下向きにして挿入して引掛面５ａに引き掛けて手前に引き出すことができ、引出体３の引出時において下取手部４及び上取手部５を用いた二種類の引出操作が選択可能となり、このため、収納ケースＫの設置高さや収納ケースＫの多段の積み重ね数に応じた引出操作を選択することができ、引出操作の融通性を向上することができ、使用の利便性を高めることができる。
【００２０】
この場合、底板１ａ、左右の側板１ｂ・１ｂ及び後板１ｃからなる前面及び上面が開口した合成樹脂製の枠本体１と、枠本体１の上面を覆う合成樹脂製の天板体２と、枠本体１及び天板体２からなる本体Ｄの前面の開口部を介して引出収納自在に設けられ、上面が開口した合成樹脂製の引出体３とからなり、上記引出体３の前面下部及び前面上部にそれぞれ下取手部４及び上取手部５を配設しているから、引出体３の引出時には、引出体３の前面下部の下取手部４に手の指の先を上向きにして挿入して引掛面４ａに引き掛けて手前に引き出すことができ、かつ、引出体３の前面上部の上取手部５に手の指の先を下向きにして挿入して引掛面５ａに引き掛けて手前に引き出すことができ、引出体３の引出時において下取手部４及び上取手部５を用いた二種類の引出操作が選択可能となり、このため、収納ケースＫの設置高さや収納ケースＫの多段の積み重ね数に応じた引出操作を選択することができ、引出操作の融通性を向上することができ、使用の利便性を高めることができる。
【００２１】
又、この場合、上記積重安定機構６により、例えば、図示省略の複数個の収納ケースＫ・Ｋ・・を積み重ねた積重状態において、上記積重安定機構６の上記凹状溝部６ａ・６ａと上記嵌合部１ｄ・１ｄ・１ｄ・１ｄとの嵌合により、それぞれ上段の収納ケースＫの前側への滑り落ちを防ぐことができ、積み重ねの安定性を高めることができ、かつ、積み重ね状態の安定を維持しつつ収納ケースＫの幅方向、すなわち、引出体３の引出収納方向と直交する左右方向の相互の配置位置を容易に変更することができ、積み重ねの配置位置の融通性を高めることができ、各種の使用態様、設置位置、各種の収納物等に応じて積み重ねの配置位置を変えることができ、収納ケースＫの使用位置の融通性及び快適性を高めることができる。
【００２２】
図８、図９の実施の第二形態例は別例構造を示し、この場合、上記第一形態例と同様な底板１ａ、左右の側板１ｂ・１ｂ、後板１ｃからなる前面及び上面が開口した上下に積み重ね可能な二個の合成樹脂製の枠本体１・１と、積み重ねられた最上位の枠本体１の上面を覆う上記第一形態例と同様な合成樹脂製の天板体２と、二個の枠本体１・１及び天板体２からなる本体Ｄの前面の二個の開口部を介してそれぞれ引出収納自在に設けられ、上面が開口した二個の合成樹脂製の引出体３・３とからなり、上記各引出体３・３の前面下部及び前面上部にそれぞれ上記第一形態例と同様な構造の下取手部４及び上取手部５を配設して構成している。
【００２３】
この実施の第二形態例にあっても、図８、図９の如く、底板１ａ、左右の側板１ｂ・１ｂ、後板１ｃからなる前面及び上面が開口した上下に積み重ね可能な二個の合成樹脂製の枠本体１・１と、積み重ねられた最上位の枠本体１の上面を覆う上記第一形態例と同様な合成樹脂製の天板体２と、二個の枠本体１・１及び天板体２からなる本体Ｄの前面の二個の開口部を介してそれぞれ引出収納自在に設けられ、上面が開口した二個の合成樹脂製の引出体３・３とからなり、上記各引出体３・３の前面下部及び前面上部にそれぞれ上記第一形態例と同様な構造の下取手部４及び上取手部５を配設して構成しているから、各引出体３・３の引出時には、各引出体３・３の前面下部の下取手部４に手の指の先を上向きにして挿入して引掛面４ａに引き掛けて手前に引き出すことができ、かつ、各引出体３・３の前面上部の上取手部５に手の指の先を下向きにして挿入して引掛面５ａに引き掛けて手前に引き出すことができ、引出体３・３の引出時において下取手部４及び上取手部５を用いた二種類の引出操作が選択可能となり、このため、収納ケースＫの設置高さや収納ケースＫの多段の積み重ね数に応じた引出操作を選択することができ、引出操作の融通性を向上することができ、使用の利便性を高めることができる。
【００２４】
尚、本発明は上記実施の形態例のものに限られず、例えば、枠本体１の数、段数、大きさ、天板体２の形状、引出体３の個数、構造は用途に応じて定められるものである。
【００２５】
以上の如く、所期の目的を充分達成することができる。
【符号の説明】
【００２６】
Ｋ    収納ケース
Ｄ    本体
１    枠本体
１ａ    底板
１ｂ    側板
１ｃ    後板
２    天板体
３    引出体
４    下取手部
５    上取手部
【図１】
2018110666.tif 000003
【図２】
2018110666.tif 000004
【図３】
2018110666.tif 000005
【図４】
2018110666.tif 000006
【図５】
2018110666.tif 000007
【図６】
2018110666.tif 000008
【図７】
2018110666.tif 000009
【図８】
2018110666.tif 000010
【図９】
2018110666.tif 000011